(57)【要約】【課題】照明壁の迅速かつ簡単な構築を可能にする、照明壁用の形鋼と、付属の照明壁形鋼システムを提供する。【解決手段】形鋼の少なくとも１つの端面で結合材を挿入可能な、少なくとも１つの第１の略閉じられた中空室（２）と、側方の外側面（１０）で長手軸に対して略平行に延びるシステム溝を有する、少なくとも１つの第２の中空室（３）とを備え、システム溝内には、外側面に対して略平行に配置可能な壁部材用取付け具が挿入可能であり、更に、天井面（１１）及び／又は底面（１２）から始まり長手軸に対して略平行に延びる、少なくとも１つのケーブル溝（４０）を有する、少なくとも１つの第３の中空室（４）を備えた、照明壁用形鋼（１、１’、１”）を形成する。【選択図】図１
2007255181.tif 000002
【特許請求の範囲】
【請求項１】
照明壁用形鋼であって、
前記形鋼の少なくとも１つの端面において結合材を挿入可能な、少なくとも１つの第１の略閉じられた中空室（２）と、
側方の外側面（１０）に長手軸に対して略平行に延びるシステム溝を有する、少なくとも１つの第２の中空室（３）とを備え、
前記システム溝内へ、側方の外側面に対して略平行に配置可能な壁部材用取付け具を挿入することができる、照明壁用形鋼において、
前記形鋼（１、１’、１”）が、天井面（１１）及び／又は底面（１２）から始まり長手軸に対して略平行に延びる少なくとも１つのケーブル溝（４０）を有する、少なくとも１つの第３の中空室（４）を備えることを特徴とする、照明壁用形鋼。
【請求項２】
前記第３の中空室（４）が、前記第１の中空室（２）と前記第２の中空室（３）との間に配置されていることを特徴とする、請求項１に記載の照明壁用形鋼。
【請求項３】
前記形鋼（１、１’、１”、１’”）が、略左右対称であることを特徴とする、請求項１又は２に記載の照明壁用形鋼。
【請求項４】
前記第１の中空室（２）が長方形であって、前記天井面（１１）に対して平行に延びる辺が、前記外側面（１０）に対して平行に延びる辺よりも長いことを特徴とする、請求項１、２又は３に記載の照明壁用形鋼。
【請求項５】
前記第１の中空室（２）の領域において、前記天井面（１１）及び／又は前記底面（１２）に、前記形鋼（１’）の長手軸に対して横方向に延びる少なくとも１つの切欠き（８）が形成されていることを特徴とする、請求項１から４のいずれか１項に記載の照明壁用形鋼。
【請求項６】
前記形鋼の少なくとも１つの端面（１３）において、前記第１の中空室（２）内に、止め具（９）、脚、又は角部継手を挿入することができることを特徴とする、請求項１から５のいずれか１項に記載の照明壁用形鋼。
【請求項７】
前記第１の中空室の前記天井面（１１）及び／又は前記底面（１２）が、少なくとも１つの裏側部材（２０）を有しており、前記裏側部材に照明器具が固定可能であることを特徴とする、請求項１から６のいずれか１項に記載の照明壁用形鋼。
【請求項８】
前記ケーブル溝（４０）が、溝の上部両側に少なくとも１つの突出部（４１、４２）を有し、好ましくは２つの突出部（４１、４２）を有していることを特徴とする、請求項１から７のいずれか１項に記載の照明壁用形鋼。
【請求項９】
前記ケーブル溝（４０）が、溝の下部両側に少なくとも１つの突出部（４８）を有していることを特徴とする、請求項１から８のいずれか１項に記載の照明壁用形鋼。
【請求項１０】
前記少なくとも１つの第３の中空室（４’、４”）が、中空室を分割する橋部（４５）を有し、前記第３の中空室（４’、４”）の領域において、前記天井面（１１）の方向、及び前記底面（１２）の方向に、それぞれ前記ケーブル溝（４０’）が開いていることを特徴とする、請求項１、２又は３に記載の照明壁用形鋼。
【請求項１１】
前記天井面（１１）と前記底面（１２）が、一定角度を形成することを特徴とする、請求項１、２、３又は１０に記載の照明壁用形鋼。
【請求項１２】
前記形鋼（１IV）の幅の広い方の前記外側面（１０’）に、前記外側面（１０”）を有する２つの前記中空室（３’）が相互に一定の角度をもって配置され、それぞれ長手軸に対して略平行に延びる外側の前記システム溝（３０）を有することを特徴とする、請求項１１に記載の照明壁用形鋼。
【請求項１３】
請求項１から１０のいずれか１項に記載の少なくとも２つの前記形鋼（１’、１”）を有する照明壁形鋼システムにおいて、
前記形鋼（１’、１”）が相互に支柱及び横枠として配置可能であり、かつ結合材によって結合可能であり、前記形鋼（１’、１”）の側方の前記外側面（１０）が、１つの平面内に位置することを特徴とする、照明壁形鋼システム。
【請求項１４】
前記第１の形鋼（１’）が、前記天井面（１１）及び／又は前記底面（１２）に、長手軸に対して横方向に延びる少なくとも１つの前記切欠き（８）を有し、結合材が、第２の前記形鋼（１”）の少なくとも１つの端面（１３）内へ挿入可能であり、前記第２の形鋼（１”）が、前記結合材によって前記第１の形鋼（１’）の切欠き（８）内に固定可能であることを特徴とする、請求項１３に記載の照明壁形鋼システム。
【請求項１５】
請求項１から１２のいずれか１項に記載の少なくとも２つの前記形鋼（１’”）を備える照明壁形鋼システムにおいて、
前記長手軸に関して平行に配置された２つの前記形鋼（１’”）が、略くさび形状の少なくとも１つの結合部材（９３）によって、前記形鋼（１’”）の、前記天井面（１１）に対して平行な横軸（１４）が０°と９０°の間の角度を形成するように、結合可能であることを特徴とする、照明壁形鋼システム。
【発明の詳細な説明】
【技術分野】
【０００１】
本発明は、照明壁用形鋼に関し、この照明壁用形鋼は、この形鋼の少なくとも１つの端面で結合材を挿入可能な、少なくとも１つの第１の略閉じられた中空室と、側方の外側面で長手軸に対して略平行に延びるシステム溝を有する、少なくとも１つの第２の中空室とを備え、システム溝内には、外側面に対して略平行に配置可能な壁部材用取付け具が挿入可能である。本発明は、更に、照明壁構築用の照明壁形鋼システムに関し、このシステムは、少なくとも２つの結合可能な形鋼を備える。
【背景技術】
【０００２】
例えば見本市及び／又は陳列のために、台、壁などを迅速に構築するための形鋼システムが、一般に知られている。形鋼システムは、例えば、垂直に延びる支柱を有し、その支柱は、側面に、その長手軸に対して平行に延びるシステム溝を有する。支柱には、互いに対して所定の間隔で水平に延びる横枠が配置される。横枠は、中空室を有し、形鋼の端部においてその中空室へ結合材、例えば止め具が挿入可能である。止め具は、システム溝が形成された支柱を固定し、また、横枠は、止め具を締め付けることによって支柱と結合可能である。その他、横枠及び／又は支柱は角部継手又は直線的な結合材を介して結合することができる。
【０００３】
壁を構築するために、横枠の外側面にシステム溝を形成することが知られており、その中へプレート、例えばプレキシガラスプレート又はガラスプレートの保持具を嵌込むことができる。横枠と支柱から構成された格子にプレートを嵌込むことによって、壁を構築することができる。
【発明の開示】
【発明が解決しようとする課題】
【０００４】
本発明の課題は、照明壁の迅速かつ簡単な構築を可能にする、照明壁用の形鋼と、付属の照明壁形鋼システムを提供することである。
【課題を解決するための手段】
【０００５】
この課題は、照明壁用形鋼であって、この形鋼の少なくとも１つの端面で結合材を挿入可能な、少なくとも１つの第１の略閉じられた中空室と、側方の外側面で長手軸に対して略平行に延びるシステム溝を有する、少なくとも１つの第２の中空室とを備え、システム溝内には、外側面に対して略平行に配置可能な壁部材用取付け具が挿入可能であり、更に、天井面及び／又は底面から始まり長手軸に対して略平行に延びる、少なくとも１つのケーブル溝を有する、少なくとも１つの第３の中空室を備えた、照明壁用形鋼によって解決される。
【０００６】
天井面及び／又は底面に形成されたケーブル溝内へ、ケーブルを、形鋼の長手軸に対して平行に延びるように、見えないように配置することができる。ケーブル溝は、略形鋼の高さ全体にわたって延びるように形成されることが好ましい。それによって極めて多くのケーブルを、又は太いケーブルを、ケーブル溝内に見えないように配置することができ、また、それによって形鋼をケーブル溝よりも高く形成する必要がなくなる。従って、美的な要求の多い照明壁を構築することができ、その中で支柱と横枠は、極めて細く形成されている。壁部材は、例えば透明なガラスプレート又はプラスチックプレートである。
【０００７】
１つ又は複数のケーブル溝を備えた第３の中空室は、第２の中空室と第１の中空室との間に配置されることが好ましい。閉じられた中空室の一方の側だけに、ケーブル溝を有する中空室を形成し、形鋼の両方の側方外側面にシステム溝を有する中空室を設けることが、考えられる。このようにしてケーブルを、ケーブル溝内で保護し、また、第２の中空室を通して照明壁の外側面から隔てて導くことができる。ケーブルは、照明壁を構築し、また、解体する場合に、第２の中空室を通して良好に接近することができる。
【０００８】
本発明の好ましい展開により、形鋼は左右対称に構成される。それによって形鋼の両方の側方外側面にプレートを配置し、また、ケーブルを敷設することができる。１実施例では、形鋼は、形鋼の中心点を通ってシステム溝に対して平行に延びる横軸に関しては、非対称である。この種の形鋼は、例えば、両方の側方外側面にシステム溝を有するが、第３の中空室のケーブル溝は、形鋼の一方の側において天井面へ向かって開放し、形鋼の第２の側においては底面へ向かって開放している。
【０００９】
本発明により、第１の中空室は長方形であって、中空室の、天井面及び底面に対して平行に延びる辺は、外側面に対して平行に延びる辺よりも長い。中空室は、結合材、例えば止め具を確実に収容するために、十分な大きさを持たなければならない。中空室を長方形に形成することにより、そのために必要な大きさは、おおむね構築される形鋼壁の寸法のみに影響されるので、形鋼の高さを小さくすることができる。それに対して形鋼の奥行きは、該当する形鋼を用いて構築する照明壁の安定性を向上させるためにも、大きくすることができる。
【００１０】
本発明により、第１の中空室の領域内の天井面及び／又は底面に、少なくとも１つの、特に形鋼の長手軸に対して横方向に延びる切欠きが形成される。第１の形鋼の端面に配置された結合材、例えば止め具は、２つの形鋼を結合するために溝内へ嵌込むことができる。この溝によって、形鋼は、他の本発明による形鋼と直角に結合可能である。
【００１１】
本発明により、形鋼の少なくとも１つの端面において、第１の中空室内へ止め具、脚、又は角部継手が挿入される。
【００１２】
それぞれ挿入される部材の選択に応じて、形鋼を単独部品として、又は結合部品として、横枠として、又は支柱として使用することができる。従って同一の形鋼によって、様々な壁が迅速かつ簡単に構築可能である。
【００１３】
第１の中空室の天井面及び／又は底面は、少なくとも１つの裏側部材を有し、その裏側部材に照明器具を固定することができることが好ましい。照明器具は、例えばラングフェルト照明器具（Langfeldleuchte）として形成される。対向する裏側部材が設けられ、両側に裏側部材を有する幅広いフラットな溝が形成され、その中に照明器具を係止し、又は固定することができることが好ましい。
【００１４】
ケーブル保持クリップ、ケーブルクリップ、ケーブル固定部材、又はカバー部材を固定するために、本発明により、ケーブル溝は上方に、即ち天井面へ続く領域において、両側に少なくとも１つ、好ましくは２つの溝を形成する突出部を備える。
【００１５】
本発明の更なる実施例では、ケーブル溝は下方に、即ち略閉じられた底面へ続く領域において、両側に少なくとも１つの突出部を備える。角部に関して２つの形鋼を結合するために、この種の突出部と底面の間に、例えば角部継手を挿入することができる。
【００１６】
本発明の更なる実施例では、少なくとも１つの第３の中空室が、この中空室を分割する橋部を有し、第３の中空室の領域において、天井面に対しても、底面に対しても、それぞれケーブル溝が開放している。それによって両側からケーブル又は他の部材を中空室内へ挿入することができる。
【００１７】
本発明の更なる実施例では、天井面と底面は一定の角度を形成している。形鋼は、角度のある形成によって、円形壁などに特に適している。
【００１８】
本発明の更なる実施例では、角度を有する形鋼の幅の広い方の外側に、それぞれ長手軸に対して略平行に延びる外側のシステム溝を備えた、互いに対して角度をもって配置された外側面を有する２つの中空室が配置されている。
【００１９】
本発明の課題は、更に、互いに対して支柱と横枠として配置することができ、かつ結合材を用いて結合可能で、支柱と横枠の右と左の側方の外側面が１つの平面内に位置する、本発明による少なくとも２つの形鋼を有する、照明壁形鋼システムによって解決される。
【００２０】
形鋼システムの形鋼は、それぞれ横枠としても、支柱としても使用可能である。形鋼は、互いに対して略垂直であることが好ましい。しかし、形鋼が適切な結合材によって互いに対して角度をもって配置される実施例も考えられる。結合材として、例えば止め具が形鋼の中空体内へ挿入可能であり、止め具は第２の形鋼の天井面に形成された切欠き内へ嵌込まれる。他の実施例において、形鋼は角部継手を介して結合される。形鋼の側方の側面が１つの平面内に位置し、プレート又は他の壁部材を簡単に固定することができる。ケーブル溝の中空室は、同様に１つの平面内に位置し、少なくとも部分的に、形成される面の方向に開放していることが好ましく、照明壁の照明器具のためのケーブルを簡単かつ少なくとも部分的につなげて敷設することができる。それぞれ外側の支柱は、天井面に向かってケーブル溝のみが開放している場合に、天井面が内側へ向けられるように配置されることが好ましい。或は、ケーブル溝を外側へ向けて、カバー部材によって閉じることができる。透明なカバー部材を使用する場合には、照明壁の幅狭側も照明するために、ケーブル溝内に、特にいわゆる照明管等を挿入することができる。
【００２１】
本発明の更なる実施例では、第１の形鋼は、天井面及び／又は底面に、長手軸に対して横方向に延びる少なくとも１つの切欠きを有することが好ましく、結合材が、第２の形鋼の少なくとも１つの端面へ挿入可能であり、第２の形鋼は、結合材を用いて第１の形鋼の切欠き内へ固定することができる。第１の形鋼は、支柱として、又は横枠として配置することができる。第１の形鋼は、多数の切欠きを有することができ、切欠き間の間隔は、第１と第２の形鋼によって形成される面内に、それぞれのシステム溝を介して正方形のプレートが結合できるように選択されることが好ましい。
【００２２】
本発明は、更に、照明壁形鋼システムによって解決され、その長手軸に関して平行に配置された２つの形鋼が、少なくとも１つの略くさび形状の結合部材を用いて、形鋼の、天井面に対して平行な横軸が０°と９０°の間の角度を形成するように、結合可能である。即ち、本発明による照明壁形鋼システムにより、丸い形状の照明壁も構築することができる。
【００２３】
本発明の他の特徴と利点は、請求項、及び図面に示す本発明の実施例についての以下の説明から明らかにされる。種々の実施例の個々の特徴は、本発明の枠を逸脱することなく、互いに任意に組み合わせることができる。同一の構成部品については、統一的な参照符号が使用される。
【発明を実施するための最良の形態】
【００２４】
図１は、照明壁用形鋼１を示す。形鋼１は、第１の中央の中空室２、２つの外側の中空室３を有し、それら外側の中空室は、それぞれ形鋼の付属の側方外側面１０に、形鋼１の長手軸に対して平行に延びるシステム溝３０を有する。プレート６又は他の壁部材を固定する、断面がＴ字状の枠材５が、システム３０内へ挿入可能である。枠材５の代わりに、壁部材を固定するための他の取付け具、例えばフックなどを、システム溝３０内へ挿入することもできる。枠材５は、工具なしで弾性的に挿入され、及び／又は形鋼１の端面から取り付けられることが好ましい。Ｔ字状の枠材５は、更にｕ字状の突出部を有し、その両方の脚にそれぞれ外側に向いた係止フックが設けられ、その係止フックが、係止された状態でシステム溝３０の後方を把持する。ｕ字状の突出部の脚に配置することによって、係止フックは弾性的に固定される。
【００２５】
中央の中空室２と外側の中空室３の間に、中空室４が配置され、中空室は、形鋼の天井面１１にそれぞれケーブル溝４０を有する。この領域は、図示のようにケーブル溝４０が幅全体にわたって延び、中空室が３つの壁のみによって形成される場合でも、中空室と称される。中空室４内へ、ケーブル溝４０を通して図示のケーブル７を導くことができる。図示の実施例では、３本のケーブル７が、左の中空室４内に挿入されている。他の実施例では、中空室４内に更に多くの、又は少ないケーブルを敷設することが可能である。
【００２６】
図示の実施例では、形鋼１は、外側面１０に対して平行に延びる中央平面に対して鏡面対称である。他の実施例では、形鋼の断面形状が中心点に対して点対称であることができ、２つの中空室４の一方が、天井面１１へ向かって開いたケーブル溝を有し、第２の中空室４が底面１２へ向かって開いたケーブル溝を有する。
【００２７】
中空室４は、それぞれケーブル溝４０の上方の領域に突出部４１、４２を有する。図示の実施例では、ケーブル溝４０の両側にそれぞれ２つの突出部が形成されている。それぞれ対向する突出部へ向かって開いた溝又はガイドを形成する突出部４１、４２の間に、例えば、図２に示すカバー部材４３を挿入することができる。
【００２８】
形鋼１は、天井面１１と底面１２に裏側部材２０を備え、その中へ、例えば、図２に示す照明管を挿入することができる。
【００２９】
図２は、図１による形鋼１を示し、第１の中空室２の裏側部材２０内に照明器具２２が挿入されている。照明器具２２は、この目的のために突出部２３を有している。更に、或は、照明器具２２を形鋼と螺合し、及び／又は他の方法で結合することができる。
【００３０】
空の中空室４は、図示の実施例では、カバー部材４３によって閉じられている。カバー部材４３は、そのために、中空室４の突出部４１、４２の間へ嵌込む。ケーブル７が挿入される中空室４の、ケーブル溝４０の両側に配置された少なくとも１対の突出部４１、４２の後ろに、ケーブルクリップ４４が嵌り込む。図示の実施例において、ケーブルクリップ４４は中空室４の外側の突出部４１の後方に嵌り込む。その他、ケーブルクリップ４４が内側の突出部のペア４２の後方に嵌り込むこともできるので、付加的にカバー部材４３を突出部４１、４２の間に挿入することができる。他の可能なケーブル固定部材は、後述で図１４−１６を参照しながら説明される。
【００３１】
図３から５は、形鋼１’の実施例を示し、図１の形鋼１とは異なり、中央の中空室２の領域において天井面１１と底面１２に切欠き８が形成されている。図３は、形鋼１’の上面を示し、図４は図３の切断面IV−IVで形鋼１’の断面を示し、図５は形鋼１’を斜視図で示している。
【００３２】
形鋼１’は、長さＬを有する。切欠き８は、形鋼１’の端面１３から間隔ｘ１、ｘ２で配置され、互いに距離ｘだけ隔たっている。図示の実施例では、端面１３に対する間隔ｘ１、ｘ２は等しい。しかし、端面１３に対する間隔ｘ１、ｘ２が異なるように選択される実施例も考えられる。更に、それぞれ構築すべき照明壁の格子がどのように構築されるべきかに従って、切欠きが変化する間隔ｘで隔たっている実施例が考えられる。
【００３３】
図５は、図１と２に示す透明なプレート６を固定するために挿入された枠材５を有する形鋼１’を、斜視図で示している。図５から明らかなように、枠材５は、システム溝３０に沿って延びる。
【００３４】
形鋼１’の切欠き８内へ、図６−９に示す止め具９の開脚フックが挿入可能であり、切欠き８において他の形鋼を形鋼１’と結合することができる。結合は、直角に行われることが好ましい。
【００３５】
図６から９は、形鋼１”の他の実施例を示し、端面１３において中空室２内へ止め具９が挿入されている。図６は、形鋼１”の上面図を示し、図７は形鋼１’の側面図を示し、図８は図７の切断面VIII−VIIIで形鋼１’の側面図を示し、図９は形鋼１’を斜視図で示している。
【００３６】
止め具９は、開脚フック９０を有し、その開脚フックは偏心ボルト９１によって押し開くことができ、開脚フック９０は固定結合のためにシステム溝３０又は切欠き８を後方で把持することができる。形鋼１”は、図示の実施例において、中空室２の領域内で天井面１１に孔２１を有し、その孔を介して偏心ボルト９１に接近することができる。同様に、底面１２の領域に孔２１を配置することができる。
【００３７】
図示の実施例では、止め具９は、中空室２内でガイド２４によって横方向に保持される。止め具９の代わりに、中空室２内へ、スタンド脚部材、角部継手、又は同様の部材を挿入することもできる。
【００３８】
図１０は、図３から５に示す形鋼１’を有する本発明による照明壁の一部を示し、図６から９に示す２つの形鋼１”が、形鋼１’の切欠き８内へ挿入され、それぞれ図示されていない止め具９を介して形鋼１’と堅固に結合される。形鋼１’、１”は、同一の断面形状を有し、図示の実施例では、設けられた切欠き８と孔２１によってのみ区別される。形鋼１’と形鋼１”の結合は、形鋼の側方の外側面１０と枠材５のためのシステム溝３０が、同一の平面内に来るようにして行われる。それによって透明なプレート６をＴ字状の枠材５によって形鋼の側方の外側面１０に固定することができる。枠材５は、工具なしで、形鋼１’、１”のシステム溝３０内へ挿入することができることが好ましい。ケーブル溝４０は、同様に１つの平面内にある。図示の実施例では、形鋼１’、１”は、形鋼１”のケーブル溝４０が上に位置し、形鋼１’のケーブル溝４０は図面で左へ向けられるように、配置されている。ケーブル７は、図２に示されるケーブルクリップを用いて固定することができる。従って、形鋼１”を、長手軸を中心に１８０°揺動させた位置で、形鋼１’に固定することも可能である。
【００３９】
図に示す、形鋼１”の自由端部内へ、同様に他の形鋼１’と結合するための止め具を挿入することができる。
【００４０】
形鋼１’と１”は、照明壁形鋼システムの部品であって、形鋼１’と１”は、同一の断面形状を有し、それぞれ支柱として、又は横枠として使用することができる。形鋼１’、１”の長さは任意であり、形鋼１’の２つの切欠き８の間の間隔ｘと形鋼１”の長さは、略正方形のプレート６が挿入可能であるように選択されるのが好ましい。
【００４１】
図１１は、照明壁形鋼システムの２つの形鋼１’”の他の配置を示す。形鋼１’”の長手軸は、互いに対して平行に延び、形鋼１’”は、くさび状の結合部材９３と結合ボルト９４を用いて、横軸１４、１５が一定の角度を形成するように結合される。従って形鋼１’”と結合ボルト９３によって、照明壁を円形に構築することができる。この実施例では、Ｔ字状の枠材５を介して、異なる大きさの壁部材６’、６”が、外側面１０に取り付けられている。図から明らかなように、くさび形状の結合部材９３は、異なる照明壁半径を実現するために、より大きい開き角度を有することもできる。
【００４２】
形鋼１’”は、すでに説明した形鋼１と同一の断面形状を有し、中空室２の領域には、結合ボルト９４を収容するための透孔２５が形成されている。形鋼１’”の端面内に、結合材、脚、接続部材などを挿入することができる。
【００４３】
図１２は、円形壁のための、照明壁形鋼システムの２つの形鋼１’”の他の配置を示している。形鋼１’”の長手軸は、同様に、互いに対して平行に延び、形鋼１’”は角度αを有する、断面がくさび状の、尖った先端を形成する結合部材９３’、結合ボルト９４、及び座金９５を用いて、横軸１４、１５が一定の角度を形成するように、結合されている。図示の実施例において、角度αは、約１５°である。しかし、図から明らかなように、くさび形状の結合部材９３’は、異なる照明壁半径を実現するために、より大きい、又はより小さい開き角度を有することもできる。座金９５は、結合ボルト９４を介しての結合を改良するが、結合部材９３’を使用する場合に必ずしも必要ではない。同様に、図１１に示す結合においても、座金９５を設けることができるのは、明らかである。
【００４４】
図１１による実施例では、Ｔ字状の枠材５を介して、壁部材６’、６”が、外側面１０に取り付けられている。それぞれ構築すべき円形壁の実施例に応じて、図１２に示すように、内壁を形成する中空室３の外側面１０にも、外壁を形成する中空室３の外側面１０にも、壁部材６’が設けられ、又は図１１に示すように、構築すべき円形壁の外壁を形成する中空室３の外側面１０のみに、壁部材が設けられる。
【００４５】
形鋼１’、１”及び１’”は、互いに任意に組み合わせることができる。然るべき切欠き又は孔を設けることによって、それぞれ図１に示す基本形鋼から形鋼を形成することができる。また、形鋼に切欠きも孔も形成することが考えられる。更に、形鋼の天井面及び／又は底面に、止め具９の開脚フックもボルト９４も挿入することができる万能切欠きを形成することが、可能である。
【００４６】
図１３は、円形壁のための形鋼１IVの更なる実施例を示す。この実施例では、天井面１１と底面１２が、一定の角度を形成しており、形鋼１IVの外側面１０’は異なる広さであり、全体として形鋼１IVの台形状の断面形状を生じる。形鋼１IVは、中央の中空室２’と３つの外側の中空室３’、３”を有し、狭い方の外側１０’には１つの中空室３’が配置され、広い方の外側１０’には２つの中空室３”が配置され、中空室３”の外側面１０”は、同様に、一定の角度を形成している。中空室３’、３”は、その外側面１０”にそれぞれシステム溝３０を有する。中空室３’、３”のシステム溝３０内へプレート６’又は他の壁部材を固定するために、前述の断面は、Ｔ字状の枠材５を挿入することができる。
【００４７】
中空室４’、４”は、それぞれ中心平面Ｍ内に位置する橋部４５を有しており、その橋部が中空室４’、４”を分割し、２つの中空室４’、４”の各々において、天井面１１と底面１２に、それぞれケーブル溝４０’が開いている。従って形鋼１IVは、中心平面Ｍに関して対称である。
【００４８】
図１４−１６は、ケーブル固定部材４６、４７の２つの実施例を示し、これらはそれぞれケーブル溝４０を有する中空室４の突出部４１、４２の間に挟むことができる。
【００４９】
図１４と１５は、形鋼１Vと、ケーブル固定部材４６の第１の実施例を示し、そのケーブル固定部材には、略くさび形状に、２つの平らな縁部４６０が形成されている。図１４は、３つの挿入されたケーブル固定部材４６を有する形鋼１Vを斜視図で示し、図１５は図１４の切断面XV−XVにおいて、挿入されたケーブル固定部材を有する形鋼１Vを、断面で示す。ケーブル固定部材４６は、取扱いやすさを改良するために、つまみ４６１を有し、そのつまみは平らな縁部４６０に対して略平行に延びる。つまみ４６１の、形鋼１の長手軸の方向、従ってケーブル溝４０の方向における位置において、ケーブル固定部材４６は、突出部４１、４２の高さでケーブル溝４０内へ挿入することができる。ケーブル固定部材４６を回動させることにより、ケーブル固定部材４６が、突出部４１、４２の間に嵌り込み、固定される。図示の実施例では、突出部４２は突出部４１よりも更に中空室４内へ突出している。ケーブル固定部材は、その幅狭側の広がりが、図示の例では平らな縁部４６１に対して横方向に、突出部４１の間の間隔よりも小さく、かつ突出部４２の間の間隔よりも大きいように、寸法設計することができる。ケーブル固定部材は、挿入する場合に突出部４２上に「載置可能」であり、回動させることにより、突出部４１、４２の間に固定することができる。図１５と１の比較から明らかなように、形鋼１Vは形鋼１に略相当するが、付加的な突出部４８を有しており、その機能については後述で、図１９を参照しながら説明する。
【００５０】
図１６は、形鋼１Vを示し、その中へケーブル固定部材４７の第２の実施例を挿入することができる。ケーブル固定部材４７は、略Ｚ字形状に屈曲されたばねであって、そのばねは、力を加えることによって圧縮可能であり、突出部４１、４２の高さにおいてケーブル溝４０内へ挿入可能であり、力を除去した場合に弛緩し、それによって突出部４１、４２の間に嵌り込み、固定される。図示されているケーブル固定部材４７は、略平行な２本のアーム４７１を有し（その内のそれぞれ一方のみが見える）、それらアームは突出部４１、４２の間へ嵌り込み、かつ斜めに延びるアーム４７２によってＺ字状に結合されている。アーム４７１に、更に、ケーブル固定部材４７の取扱いを改良するために２つの湾曲部４７３が配置されており、それらの湾曲部はアーム４７１に対して約３０°−８０°の角度で屈曲されている。
【００５１】
前述のように、形鋼の中空室２内へ脚を挿入することができる。図１７と１８は、形鋼内へ脚を挿入するために実施可能な２つの脚収容部を示す。
【００５２】
図１７は、形鋼１V、中空室２内へ挿入可能な脚収容部５１及び脚５２を、分解斜視図で示す。脚収容部５１は、略Ｔ字状の断面を有し、基体５１０を中空室２のガイド２４間へ挿入することができ、脚収容部のＴ字梁５１１が、端面１３にぴったり合う。脚収容部５１は、内ねじ５１２を有し、その中へ脚５２のねじシャフト５２０を螺合することができる。脚５２は、ねじシャフト５２０とは反対側の端部にスタンド面５２１を有する。
【００５３】
図１８は、形鋼１V、中空室２内へ挿入可能な脚収容部５１’の第２の実施例、脚５２、及び形鋼枠５を分解斜視図で示す。脚収容部５１’は、基板５１３を有し、基板には、ピン５１４が固定されている。脚収容部５１’は、更に、内ねじを備えた切欠き５１５を有し、その中へ脚５２を螺合することができる。図示の実施例において、基板５１３には、３つの切欠き５１５が形成され、外側の切欠き５１５内へ２つの脚５２が挿入されている。その他、比較的小さいスタンド面５２１を有する脚を３つ挿入することも考えられる。他の実施例では、脚５２は、中央の切欠き５１５内へ挿入される。
【００５４】
ピン５１４は、図示の実施例では、外側の中空室３のシステム溝３０内に挿入可能で、また、ねじ付きピン５１６によって固定可能である。図示のように、形鋼枠５は、ねじ付きピン５１６の箇所で切欠かれている。
【００５５】
図から明らかなように、図１７と１８に示す脚収容部は、同様に形鋼１、１’から１IVにも挿入可能である。
【００５６】
図１９は、角部継手５３を用いて角部を介して２つの形鋼１VIを結合する他の可能性を示す。図示の形鋼１VIは、形鋼１Vに略相当するが、それぞれ２つの形鋼１VIが互いに隣接する箇所に、互いに相補的な斜めの端面１３０を有している。角部継手５３は、底面１２と突出部４８の間で中空室４内へ挿入可能であり、必要に応じて切欠き５３０を用いて形鋼１VIと、例えばボルト及び／又はリベットによって、結合可能である。或は切欠き５３０内へ止めねじをねじ込むことができ、その止めねじが、角部継手５３を形鋼部分に対して締め付け、固定する。形鋼１VIの組立て後も、開放したケーブル溝４０を介して、切欠き５３０へ容易に接近することができる。
【図面の簡単な説明】
【００５７】
【図１】本発明による形鋼を説明する断面図である。
【図２】挿入された照明器具を備える、図１による形鋼を説明する断面図である。
【図３】形成された切欠きを有する、図１による形鋼を示す上面図である。
【図４】図３による形鋼を、図３の切断面IV−IVで示す断面図である。
【図５】図３による形鋼を示す斜視図である。
【図６】挿入された止め具を備える、図１による形鋼を示す上面図である。
【図７】図６による形鋼の側面図である。
【図８】図６による形鋼を、図７の切断面VIII−VIIIで示す断面図である。
【図９】図６による形鋼を示す斜視図である。
【図１０】本発明による照明壁の一部を示す。
【図１１】円形の照明壁のために結合された２つの形鋼を示す。
【図１２】円形の照明壁のために２つの形鋼を結合する第２の実施例を示す。
【図１３】円形の照明壁用の形鋼の更なる実施例を示す。
【図１４】挿入されたケーブル固定部材を備える形鋼を示す斜視図である。
【図１５】図１４による形鋼を、図１４の切断面XV−XVで示す断面図である。
【図１６】挿入された、別のケーブル固定部材を備える形鋼を示す斜視図である。
【図１７】形鋼、脚収容部、及び脚を示す分解斜視図である。
【図１８】形鋼、別の脚収容部、及び脚を示す分解斜視図である。
【図１９】角部継手を介して結合された２つの形鋼を示す分解斜視図である。
【符号の説明】
【００５８】
１    形鋼
２    第１の中空室
３    第２の中空室
４    第３の中空室
８    切欠き
９    止め具
１０    外側面
１１    天井面
１２    底面
１３    端面
１４    横軸
２０    裏側部材
４０    ケーブル溝
４１    突出部
４２    突出部
４５    橋部
４８    突出部
９３    結合部材
【図１】
2007255181.tif 000003
【図２】
2007255181.tif 000004
【図３】
2007255181.tif 000005
【図４】
2007255181.tif 000006
【図５】
2007255181.tif 000007
【図６】
2007255181.tif 000008
【図７】
2007255181.tif 000009
【図８】
2007255181.tif 000010
【図９】
2007255181.tif 000011
【図１０】
2007255181.tif 000012
【図１１】
2007255181.tif 000013
【図１２】
2007255181.tif 000014
【図１３】
2007255181.tif 000015
【図１４】
2007255181.tif 000016
【図１５】
2007255181.tif 000017
【図１６】
2007255181.tif 000018
【図１７】
2007255181.tif 000019
【図１８】
2007255181.tif 000020
【図１９】
2007255181.tif 000021